(57)【要約】【課題】  ネットワークを介して、コンテンツを配信する場合に、当該コンテンツを配信する装置に負荷をかけることなく、当該コンテンツを購入したユーザを特定することができるコンテンツ送信装置、プログラムおよびコンテンツ受信装置、プログラムを提供する。【解決手段】  著作権に関する電子透かしである著作権電子透かしをコンテンツに埋め込んだ著作権電子透かし埋込済みコンテンツと、当該著作権電子透かし埋込済みコンテンツを受信した受信側のユーザが当該著作権電子透かし埋込済みコンテンツを視聴したことを示し、当該ユーザに関する電子透かしであるユーザ電子透かしを当該著作権電子透かし埋込済みコンテンツに埋め込ませるユーザ電子透かし埋込リストデータとを送信するコンテンツ送信装置１であって、著作権電子透かし埋込手段９と、ユーザ電子透かし埋込リストデータ付加手段１５と、送受信手段１７と、を備えた。【選択図】      図１
2005072755.tif 000002
【特許請求の範囲】
【請求項１】
著作権に関する電子透かしである著作権電子透かしをコンテンツに埋め込んだ著作権電子透かし埋込済みコンテンツと、当該著作権電子透かし埋込済みコンテンツを受信した受信側のユーザが当該著作権電子透かし埋込済みコンテンツを視聴したことを示し、当該ユーザに関する電子透かしであるユーザ電子透かしを当該著作権電子透かし埋込済みコンテンツに前記ユーザ電子透かしを前記著作権電子透かしと干渉しない手段によって埋め込ませるユーザ電子透かし埋込リストデータとを送信するコンテンツ送信装置であって、
前記コンテンツに前記著作権電子透かしを埋め込んで著作権電子透かし埋込済みコンテンツとする著作権電子透かし埋込手段と、
この著作権電子透かし埋込手段で著作権電子透かしが埋め込まれた著作権電子透かし埋込済みコンテンツに前記ユーザ電子透かし埋込リストデータを付加するユーザ電子透かし埋込リストデータ付加手段と、
このユーザ電子透かし埋込リストデータ付加手段でユーザ電子透かし埋込リストデータが付加されたリストデータ付加著作権電子透かし埋込済みコンテンツを送信するコンテンツ送信手段と、
を備えることを特徴とするコンテンツ送信装置。
【請求項２】
前記コンテンツ送信手段は、前記ユーザ電子透かし埋込リストデータに従って、前記ユーザ電子透かしを前記著作権電子透かし埋込済みコンテンツに埋め込ませるユーザ電子透かし埋込モジュールを送信することを特徴とする請求項１に記載のコンテンツ送信装置。
【請求項３】
前記著作権電子透かし埋込済みコンテンツに、前記受信側によって前記ユーザ電子透かしが埋め込まれたユーザ電子透かし埋込済みコンテンツをネットワークを介して取得するユーザ電子透かし埋込済みコンテンツ取得手段と、
このユーザ電子透かし埋込済みコンテンツ取得手段で取得されたユーザ電子透かし埋込済みコンテンツからユーザ電子透かしを検出するユーザ電子透かし検出手段と、
を備えることを特徴とする請求項１または請求項２に記載のコンテンツ送信装置。
【請求項４】
著作権に関する電子透かしである著作権電子透かしをコンテンツに埋め込んだ著作権電子透かし埋込済みコンテンツと、当該著作権電子透かし埋込済みコンテンツを受信した受信側のユーザが当該著作権電子透かし埋込済みコンテンツを視聴したことを示し、当該ユーザに関する電子透かしであるユーザ電子透かしを当該著作権電子透かし埋込済みコンテンツに前記ユーザ電子透かしを前記著作権電子透かしと干渉しない手段によって埋め込ませるユーザ電子透かし埋込リストデータとを送信する装置を、
前記コンテンツに前記著作権電子透かしを埋め込んで著作権電子透かし埋込済みコンテンツとする著作権電子透かし埋込手段、
この著作権電子透かし埋込手段で著作権電子透かしが埋め込まれた著作権電子透かし埋込済みコンテンツに前記ユーザ電子透かし埋込リストデータを付加するユーザ電子透かし埋込リストデータ付加手段、
このユーザ電子透かし埋込リストデータ付加手段でユーザ電子透かし埋込リストデータが付加されたリストデータ付加著作権電子透かし埋込済みコンテンツを送信するコンテンツ送信手段、
として機能させることを特徴とするコンテンツ送信プログラム。
【請求項５】
著作権に関する電子透かしである著作権電子透かしがコンテンツに埋め込まれた著作権電子透かし埋込済みコンテンツと、当該著作権電子透かし埋込済みコンテンツを視聴したことを示し、この視聴したユーザに関する電子透かしであるユーザ電子透かしを当該著作権電子透かし埋込済みコンテンツに前記ユーザ電子透かしを前記著作権電子透かしと干渉しないように埋め込ませるユーザ電子透かし埋込リストデータとを受信するコンテンツ受信装置であって、
前記ユーザに関するユーザ情報を蓄積するユーザ情報蓄積手段と、
前記著作権電子透かし埋込済みコンテンツおよび前記ユーザ電子透かし埋込リストデータを受信する受信手段と、
この受信手段で受信した著作権電子透かし埋込コンテンツを視聴する際に、前記ユーザ電子透かし埋込リストデータに従って前記ユーザ電子透かしを埋込むユーザ電子透かし埋込モジュールを実行し、前記ユーザ情報蓄積手段に蓄積されているユーザ情報を前記ユーザ電子透かしとして前記著作権電子透かし埋込コンテンツに埋め込むユーザ電子透かし埋込実行手段と、
を備えることを特徴とするコンテンツ受信装置。
【請求項６】
前記ユーザ電子透かし埋込リストデータに従ったユーザ電子透かし埋込モジュールを備えていない場合に、ネットワークを介して、当該ユーザ電子透かし埋込モジュールを取得するユーザ電子透かし埋込モジュール取得手段を備えることを特徴とする請求項５に記載のコンテンツ受信装置。
【請求項７】
著作権に関する電子透かしである著作権電子透かしがコンテンツに埋め込まれた著作権電子透かし埋込済みコンテンツと、当該著作権電子透かし埋込済みコンテンツを視聴したことを示し、この視聴したユーザに関する電子透かしであるユーザ電子透かしを当該著作権電子透かし埋込済みコンテンツに前記ユーザ電子透かしを前記著作権電子透かしと干渉しないように埋め込ませるユーザ電子透かし埋込リストデータとを受信する装置を、
前記著作権電子透かし埋込済みコンテンツおよび前記ユーザ電子透かし埋込リストデータを受信する受信手段、
この受信手段で受信した著作権電子透かし埋込コンテンツを視聴する際に、前記ユーザ電子透かし埋込リストデータに従って前記ユーザ電子透かしを埋込むユーザ電子透かし埋込モジュールを実行し、予め蓄積されているユーザに関するユーザ情報を前記ユーザ電子透かしとして前記著作権電子透かし埋込コンテンツに埋め込むユーザ電子透かし埋込実行手段、
として機能させることを特徴とするコンテンツ受信プログラム。
【発明の詳細な説明】
【技術分野】
【０００１】
本発明は、電子透かしを用いたコンテンツの認証技術に関する。
【背景技術】
【０００２】
従来、マルチメディアコンテンツ（以下、コンテンツとする）に、当該コンテンツの正当な提供者（著作権者、コンテンツプロバイダに関する情報）や正当な購入者（購入時、販売契約が成立したユーザに関する情報）を示す電子透かしを埋め込む技術が知られている。なお、これらの電子透かしは、明らかにわかるような態様、または、一見してわからないような態様で、コンテンツに埋め込まれている。
【０００３】
これにより、コンテンツを購入した正当な購入者によって、当該コンテンツがコピーされ、ネットワークを介して送信（配信）が不正に行われた場合、または、記録媒体に記録されて配布された場合、当該コンテンツの正当な提供者は、当該コンテンツに埋め込まれている電子透かしを検出することで、当該コンテンツが不正に流通されたコンテンツ（不正流通コンテンツ）であることを主張すると共に、正当な購入者を特定することができる。（例えば、特許文献１参照）。
【特許文献１】特開２００３−１５２７０７号公報（段落００２５〜００３１、図１）
【発明の開示】
【発明が解決しようとする課題】
【０００４】
しかしながら、従来の電子透かしを埋め込む技術では、ネットワークを介して、コンテンツを配信する場合であって、ユーザからコンテンツの購入要求が多数あった場合、つまり、ネットワークを介して接続されるサーバ等のコンテンツ配信装置にユーザが使用するユーザ端末からのアクセス数が多い場合には、ユーザに関する情報を電子透かしとしてコンテンツに埋め込む処理の処理時間、コンテンツ配信装置への負荷が膨大となり、当該装置では処理しきれない場合が生じるという問題がある。
【０００５】
そこで、本発明では、前記した問題を解決し、ネットワークを介して、コンテンツを配信する場合に、当該コンテンツを配信する装置に負荷をかけることなく、当該コンテンツを購入したユーザを特定することができるコンテンツ送信装置、コンテンツ送信プログラムおよびコンテンツ受信装置、コンテンツ受信プログラムを提供することを目的とする。
【課題を解決するための手段】
【０００６】
前記課題を解決するため、特許請求の範囲の請求項１記載のコンテンツ送信装置は、著作権に関する電子透かしである著作権電子透かしをコンテンツに埋め込んだ著作権電子透かし埋込済みコンテンツと、当該著作権電子透かし埋込済みコンテンツを受信した受信側のユーザが当該著作権電子透かし埋込済みコンテンツを視聴したことを示し、当該ユーザに関する電子透かしであるユーザ電子透かしを当該著作権電子透かし埋込済みコンテンツに前記ユーザ電子透かしを前記著作権電子透かしと干渉しない手段によって埋め込ませるユーザ電子透かし埋込リストデータとを送信するコンテンツ送信装置であって、著作権電子透かし埋込手段と、ユーザ電子透かし埋込リストデータ付加手段と、コンテンツ送信手段と、を備える構成とした。
【０００７】
かかる構成によれば、コンテンツ送信装置は、著作権電子透かし埋込手段によって、コンテンツに著作権電子透かしを埋め込んで著作権電子透かし埋込済みコンテンツとする。続いて、このコンテンツ送信装置は、ユーザ電子透かし埋込リストデータ付加手段によって、著作権電子透かし埋込済みコンテンツにユーザ電子透かし埋込リストデータを付加したリストデータ付加著作権電子透かし埋込済みコンテンツとし、これをコンテンツ送信手段によって送信する。
【０００８】
つまり、著作権電子透かし埋込済みコンテンツを購入する購入時、つまり、販売契約が成立した時点で、ユーザに関する情報（販売契約に関する情報も付加可）を電子透かしとして埋め込むのではなく、購入後、当該著作権電子透かし埋込済みコンテンツを視聴する視聴時（再生時）に、ユーザ電子透かし埋込リストデータに従った手段によって、ユーザに関する情報をユーザ電子透かしとして、当該著作権電子透かし埋込済みコンテンツに埋め込ませる。これにより、著作権電子透かし埋込済みコンテンツを配信する装置に負荷をかけることなく、ユーザ電子透かしを検出することによって、当該著作権電子透かし埋込済みコンテンツを購入したユーザを特定することができる。
【０００９】
なお、コンテンツに埋め込む著作権電子透かしと、ユーザ電子透かし埋込リストデータに従った手段により受信側で埋め込まれるユーザ電子透かしとの特性が互いに干渉することのない（直交性を有する）ようにすることで、著作権電子透かしとユーザ電子透かしとを個別に検出することが容易になる。なお、直交性を有するとは、埋め込まれている双方の電子透かしを独立して取り出せることであり、そのために、例えば、一方の電子透かしを高周波の信号として、他方の電子透かしを低周波の信号として埋め込むことや、一方の電子透かしをフレームの左側、他方の電子透かしをフレームの右側といったようにフレーム上で異なる場所に埋め込むことや、双方の電子透かしを時間的にずらして埋め込むことが挙げられる。
【００１０】
特許請求の範囲の請求項２記載のコンテンツ送信装置は、請求項１に記載のコンテンツ送信装置において、前記コンテンツ送信手段は、前記ユーザ電子透かし埋込リストデータに従って、前記ユーザ電子透かしを前記著作権電子透かし埋込済みコンテンツに埋め込ませるユーザ電子透かし埋込モジュールを送信することを特徴とする。
【００１１】
かかる構成によれば、コンテンツ送信装置は、コンテンツ送信手段によって、ユーザ電子透かし埋込モジュールを送信する。このユーザ電子透かし埋込モジュールは、ユーザ電子透かし埋込リストデータに従って、ユーザ電子透かしを著作権電子透かし埋込済みコンテンツに埋め込ませるもので、当該ユーザ電子透かしと、著作権電子透かし埋込済みコンテンツに埋め込まれている著作権電子透かしとの直交性を保つように構成されている。
【００１２】
特許請求の範囲の請求項３記載のコンテンツ送信装置は、請求項１または請求項２に記載のコンテンツ送信装置において、さらに、ユーザ電子透かし埋込済みコンテンツ取得手段と、ユーザ電子透かし検出手段と、を備えることを特徴とする。
【００１３】
かかる構成によれば、コンテンツ送信装置は、ユーザ電子透かし埋込済みコンテンツ取得手段によって、著作権電子透かし埋込済みコンテンツに受信側でユーザ電子透かしが埋め込まれたユーザ電子透かし埋込済みコンテンツをネットワークを介して、或いは、市場等から購入した記録媒体等を介して取得し、ユーザ電子透かし検出手段によって、ユーザ電子透かし埋込済みコンテンツからユーザ電子透かしを検出する。
つまり、受信側で、著作権電子透かし埋込済みコンテンツが視聴（再生）された後には、当該コンテンツに著作権電子透かしも埋め込まれたままユーザ電子透かしが埋め込まれて、ユーザ電子透かし埋込済みコンテンツとされるので、このユーザ電子透かし埋込済みコンテンツを取得して、ユーザ電子透かし検出手段によって、ユーザ電子透かしを検出すれば、ユーザを特定することができる。
【００１４】
特許請求の範囲の請求項４記載のコンテンツ送信プログラムは、著作権に関する電子透かしである著作権電子透かしをコンテンツに埋め込んだ著作権電子透かし埋込済みコンテンツと、当該著作権電子透かし埋込済みコンテンツを受信した受信側のユーザが当該著作権電子透かし埋込済みコンテンツを視聴したことを示し、当該ユーザに関する電子透かしであるユーザ電子透かしを当該著作権電子透かし埋込済みコンテンツに前記ユーザ電子透かしを前記著作権電子透かしと干渉しない手段によって埋め込ませるユーザ電子透かし埋込リストデータとを送信する装置を、著作権電子透かし埋込手段、ユーザ電子透かし埋込リストデータ付加手段、コンテンツ送信手段、として機能させる構成とした。
【００１５】
かかる構成によれば、コンテンツ送信プログラムは、著作権電子透かし埋込手段によって、コンテンツに著作権電子透かしを埋め込んで著作権電子透かし埋込済みコンテンツとし、ユーザ電子透かし埋込リストデータ付加手段によって、著作権電子透かし埋込済みコンテンツにユーザ電子透かし埋込リストデータを付加したリストデータ付加著作権電子透かし埋込済みコンテンツとし、これをコンテンツ送信手段によって送信する。
【００１６】
特許請求の範囲の請求項５記載のコンテンツ受信装置は、著作権に関する電子透かしである著作権電子透かしがコンテンツに埋め込まれた著作権電子透かし埋込済みコンテンツと、当該著作権電子透かし埋込済みコンテンツを視聴したことを示し、この視聴したユーザに関する電子透かしであるユーザ電子透かしを当該著作権電子透かし埋込済みコンテンツに前記ユーザ電子透かしを前記著作権電子透かしと干渉しないように埋め込ませるユーザ電子透かし埋込リストデータとを受信するコンテンツ受信装置であって、ユーザ情報蓄積手段と、受信手段と、ユーザ電子透かし埋込実行手段と、を備える構成とした。
【００１７】
かかる構成によれば、コンテンツ受信装置は、ユーザ情報蓄積手段によって、予めユーザに関するユーザ情報を蓄積しており、受信手段によって、著作権電子透かし埋込済みコンテンツおよびユーザ電子透かし埋込リストデータを受信し、ユーザ電子透かし埋込実行手段によって、著作権電子透かし埋込済みコンテンツを視聴する際に、ユーザ情報蓄積手段に蓄積されているユーザ情報をユーザ電子透かしとして、著作権電子透かし埋込済みコンテンツに埋め込む。ユーザ情報は、コンテンツ受信装置の製造番号等の機器情報と、ユーザ、つまり、視聴者の名前、性別、年齢、住所、電話番号、電子メールアドレス、嗜好等の個人情報と、コンテンツの視聴に係る契約内容である契約情報とを含むものである。なお、ユーザ電子透かし埋込実行手段は、ユーザ電子透かしを埋め込む実行形式のコマンド群であるユーザ電子透かし埋込モジュールを使用してユーザ電子透かしを著作権電子透かし埋込済みコンテンツに埋め込むと共に、ユーザ電子透かしを埋め込んだユーザ電子透かし埋込済みコンテンツを外部の表示装置等に出力するものである。
【００１８】
特許請求の範囲の請求項６記載のコンテンツ受信装置は、請求項５に記載のコンテンツ受信装置において、前記ユーザ電子透かし埋込リストデータに従った電子透かし埋込モジュールを備えていない場合には、ネットワークを介して、当該ユーザ電子透かし埋込モジュールを取得するユーザ電子透かし埋込モジュール取得手段を備えることを特徴とする。
【００１９】
かかる構成によれば、コンテンツ受信装置は、ユーザ電子透かし埋込実行手段によって、著作権電子透かし埋込済みコンテンツにユーザ電子透かしを埋め込む際に、ユーザ電子透かし埋込リストデータに従った電子透かし埋込モジュールを備えていない場合には、ネットワークを介して、当該ユーザ電子透かし埋込リストデータに従ったユーザ電子透かし埋込モジュールを取得して、この取得したユーザ電子透かし埋込モジュールに基づいて、ユーザ情報をユーザ電子透かしとして著作権電子透かし埋込済みコンテンツに埋め込む。これによって、ユーザ電子透かし埋込リストデータに従ったユーザ電子透かし埋込モジュールを予め備えていない場合であっても、フレキシブルに対応することができる。
【００２０】
特許請求の範囲の請求項７記載のコンテンツ受信プログラムは、著作権に関する電子透かしである著作権電子透かしがコンテンツに埋め込まれた著作権電子透かし埋込済みコンテンツと、当該著作権電子透かし埋込済みコンテンツを視聴したことを示し、この視聴したユーザに関する電子透かしであるユーザ電子透かしを当該著作権電子透かし埋込済みコンテンツに前記ユーザ電子透かしを前記著作権電子透かしと干渉しないように埋め込ませるユーザ電子透かし埋込リストデータとを受信する装置を、受信手段、ユーザ電子透かし埋込実行手段、として機能させる構成とした。
【００２１】
かかる構成によれば、コンテンツ受信プログラムは、受信手段によって、著作権電子透かし埋込済みコンテンツおよびユーザ電子透かし埋込リストデータを受信し、ユーザ電子透かし埋込実行手段によって、著作権電子透かし埋込済みコンテンツを視聴する際に、ユーザ電子透かし埋込リストデータに従ったユーザ電子透かし埋込モジュールを実行し、予め蓄積されているユーザ情報をユーザ電子透かしとして、著作権電子透かし埋込済みコンテンツに埋め込ませる。
【発明の効果】
【００２２】
特許請求の範囲の請求項１、４記載の発明よれば、ユーザに関するユーザ電子透かしを送信する際に埋め込まずに、当該ユーザ電子透かしを受信側で埋め込ませるユーザ電子透かし埋込リストデータによって埋め込ませるようにしているので、著作権電子透かし埋込済みコンテンツを送信（配信）する装置に負荷をかけることなく、著作権電子透かし埋込済みコンテンツを送信（配信）することができる。
【００２３】
また、コンテンツに埋め込む著作権電子透かしと、ユーザ電子透かし埋込リストデータにより受信側で埋め込まれるユーザ電子透かしとの特性が互いに干渉することのない手段によって埋め込むようにすることで、著作権電子透かしとユーザ電子透かしとを個別に検出することができる。
【００２４】
特許請求の範囲の請求項２記載の発明によれば、例えば、受信側の装置（コンテンツ受信装置）で、著作権電子透かし埋込済みコンテンツを視聴（再生）する際に、ユーザ電子透かし埋込リストデータに従ったユーザ電子透かし埋込モジュールがなかった場合に、受信側からの要求に基づいて、当該ユーザ電子透かし埋込モジュールを送信することができる。
【００２５】
特許請求の範囲の請求項３記載の発明によれば、ユーザ電子透かし埋込済みコンテンツを取得して、ユーザ電子透かしを検出することができ、この検出したユーザ電子透かしによってユーザを特定することができる。
【００２６】
特許請求の範囲の請求項５、７記載の発明によれば、著作権電子透かし埋込済みコンテンツを視聴する際に、ユーザ情報をユーザ電子透かしとして、著作権電子透かし埋込済みコンテンツに埋め込んでいるので、著作権電子透かし埋込済みコンテンツを送信（配信）する装置に負荷をかけることなく、ユーザ電子透かしを著作権電子透かし埋込済みコンテンツに埋め込むことができる。そして、このユーザ電子透かしを検出することによって、当該著作権電子透かし埋込済みコンテンツを購入したユーザを特定することができる。
【００２７】
特許請求の範囲の請求項６記載の発明によれば、著作権電子透かし埋込済みコンテンツにユーザ電子透かしを埋め込む際に、ユーザ電子透かし埋込リストデータに従ったユーザ電子透かし生成モジュールを備えていない場合であっても、フレキシブルに対応して、ユーザ電子透かしを著作権電子透かし埋込済みコンテンツに埋め込むことができる。
【００２８】
すなわち、このようなコンテンツ送信装置、コンテンツ送信プログラムおよびコンテンツ送信方法と、コンテンツ受信装置、コンテンツ受信プログラムおよびコンテンツ受信方法とによれば、著作権電子透かし埋込済みコンテンツを送信（配信）する際に、送信する装置（コンテンツ送信装置）に、ユーザに関する電子透かしであるユーザ電子透かしを埋め込むのではなく、当該著作権電子透かし埋込済みコンテンツを視聴（再生）する際に当該ユーザ電子透かしを埋め込む構成としたので、ネットワークを介して、著作権電子透かし埋込済みコンテンツを送信（配信）する場合に、当該著作権電子透かし埋込済みコンテンツを配信する装置に負荷をかけることがない。また、ユーザ電子透かしを検出することによって、当該著作権電子透かし埋込済みコンテンツを購入したユーザを特定することができる。
【発明を実施するための最良の形態】
【００２９】
次に、本発明の実施の形態について、適宜図面を参照しながら詳細に説明する。
（コンテンツ送受信システムの構成）
図１にコンテンツ送受信システムのブロック図を示す。この図１に示すように、コンテンツ送受信システムＡは、コンテンツ送信装置１と、複数のコンテンツ受信装置３とを備えており、これらがネットワーク（インターネット、イントラネット等）を介して接続されている。また、それぞれのコンテンツ受信装置３には、コンテンツを表示する表示装置２が接続されている。
【００３０】
このコンテンツ送受信システムＡは、コンテンツの制作者（著作権者とする）を示す情報である“文字”、“ロゴ”、“マーク”、“データ”等の著作権者を特定可能にする情報と、コンテンツに固有に付されたＩＤとを著作権に関する電子透かし（著作権電子透かし）として、当該コンテンツに埋め込んで著作権電子透かし埋込済みコンテンツとすると共に、この著作権電子透かし埋込済みコンテンツを購入後、視聴（再生）したユーザに関する情報を、視聴（再生）時にユーザ電子透かしとして埋め込んで、著作権電子透かし埋込済みコンテンツを購入したユーザを特定可能にするものである。
【００３１】
（コンテンツ送信装置の構成）
コンテンツ送信装置１は、コンテンツに著作権電子透かしを埋め込んで、受信側のコンテンツ受信装置３からの要求に基づいて送信するもので、コンテンツ蓄積手段５と、著作権電子透かし蓄積手段７と、著作権電子透かし埋込手段９と、ユーザ電子透かし埋込プログラム蓄積手段１１と、ユーザ電子透かし埋込モジュール蓄積手段１３と、ユーザ電子透かし埋込リストデータ付加手段１５と、送受信手段１７（請求項に記載のコンテンツ送信手段に相当）と、ユーザ登録データ蓄積手段１９と、コンテンツ購入者リスト蓄積手段２１と、ユーザ電子透かし埋込済みコンテンツ取得手段２３と、ユーザ電子透かし検出手段２５とを備えいる。
【００３２】
なお、このコンテンツ送信装置１は、ネットワークに接続される一般的なサーバをベースに構築されており、各手段は、サーバを構成する制御回路や記憶装置等と、これらと協同して動作するソフトウェアとを機能的に特定したものである。また、この実施の形態では、各手段５〜２５を一つのコンテンツ送信装置１に収めているが、各手段５〜２５を複数のサーバによって構成してもよい。
【００３３】
コンテンツ蓄積手段５は、大容量のハードディスク等によって構成され、動画像データや音声データからなるコンテンツを蓄積しているものである。
【００３４】
著作権電子透かし蓄積手段７は、著作権に関する電子透かしである著作権電子透かしのモジュールを蓄積しているものである。著作権電子透かしは、コンテンツプロバイダの名前や、ロゴ等を制作した制作者や、コンテンツの配信元を特定可能とする情報と、コンテンツに固有に付されたＩＤとを、コンテンツの品質に影響を及ぼさないように埋め込むためのものである。また、この著作権電子透かし蓄積手段７は、コンテンツ蓄積手段５に蓄積されているコンテンツのファイル名や所要時間、コンテンツを識別するためのコンテンツＩＤ、コンテンツの著作権者（例えば、放送局名）等を一覧表に纏めたコンテンツ一覧データを蓄積している。
【００３５】
著作権電子透かし埋込手段９は、コンテンツ蓄積手段５に蓄積されているコンテンツに著作権電子透かし蓄積手段７に蓄積されている著作権電子透かしを埋め込んで、著作権電子透かし埋込済みコンテンツとするものである。なお、この実施の形態では、当該著作権電子透かしが視聴不可の形態でコンテンツに埋め込まれる。
【００３６】
ユーザ電子透かし埋込リストデータ蓄積手段１１は、ユーザ電子透かし埋込リストデータを蓄積するものである。このユーザ電子透かし埋込リストデータは、ユーザ電子透かしを著作権電子透かし埋込済みコンテンツに埋め込ませるユーザ電子透かし埋込モジュール（後記する）のＩＤを記述したものである。つまり、受信側のコンテンツ受信装置３で著作権電子透かし埋込済みコンテンツが視聴（再生）される際に、ユーザ電子透かし埋込リストデータに記載されているコンテンツのＩＤに対応するユーザ電子透かし埋込モジュール（後記する）を起動（機能）させて、このユーザ電子透かし埋込モジュールによって、著作権電子透かし埋込済みコンテンツにユーザ電子透かし（詳細は後記する）を埋め込ませるものである。
【００３７】
なお、このユーザ電子透かし埋込リストデータに従ったユーザ電子透かし埋込モジュール（後記する）によって、受信側で著作権電子透かし埋込済みコンテンに埋め込まれるユーザ電子透かしは、著作権電子透かしと直交性を有する関係にある。つまり、著作権電子透かしとユーザ電子透かしとは独立して検出可能であり、例えば、著作権電子透かしのフレーム上の埋込位置と、ユーザ電子透かしのフレーム上の埋込位置とを別々にしたり、或いは、著作権電子透かしを高周波の信号とし、ユーザ電子透かしを低周波の信号とする。
【００３８】
ユーザ電子透かし埋込モジュール蓄積手段１３は、受信側で著作権電子透かし埋込済みコンテンツが視聴される際に、受信側で蓄積されているユーザ情報を、ユーザ電子透かしとして当該著作権電子透かし埋込済みコンテンツに埋め込ませるユーザ電子透かし埋込モジュールを蓄積しているものである。このユーザ電子透かし埋込モジュールは、ユーザ電子透かし埋込リストデータによって規定されているＩＤによって起動（機能）し、著作権電子透かし埋込済みコンテンツにユーザ電子透かしを埋め込むものである。
【００３９】
ユーザ電子透かし埋込リストデータ付加手段１５は、著作権電子透かし埋込手段９で著作権電子透かしがコンテンツに埋め込まれた著作権電子透かし埋込済みコンテンツに、ユーザ電子透かし埋込リストデータ蓄積手段１１に蓄積されているユーザ電子透かし埋込リストデータを付加し、リストデータ付加著作権電子透かし埋込済みコンテンツとするものである。このユーザ電子透かし埋込リストデータ付加手段１５におけるユーザ電子透かし埋込リストデータの付加は、予めコンテンツ毎に設定されているコンテンツＩＤと、当該ユーザ電子透かし埋込リストデータに書かれているコンテンツＩＤとを対応させると共に、著作権電子透かし埋込済みコンテンツとユーザ電子透かし埋込リストデータとを多重化することによって行っている。つまり、著作権電子透かし埋込済みコンテンツが再生されるまで、この著作権電子透かし埋込済みコンテンツとユーザ電子透かし埋込リストデータとが不可分に取り扱われる必要があるからである。
【００４０】
送受信手段１７は、ネットワークに接続される外部へのインターフェースであり、ゲートウェイサーバの役割を果たすもので、ユーザ電子透かし埋込リストデータ付加手段１５によって、ユーザ電子透かし埋込リストデータが付加されたリストデータ付加著作権電子透かし埋込済みコンテンツをネットワークに向けて送信（配信）するものである。また、この送受信手段１７は、コンテンツ受信装置３から送信されるユーザ登録データを受信すると共に、コンテンツ受信装置３から送信されるユーザ電子透かし埋込モジュールの要求データを受信し、この要求データに基づいて、当該ユーザ電子透かし埋込モジュールを送信するものである。
【００４１】
ユーザ登録データ蓄積手段１９は、ネットワークを介してコンテンツ受信装置３から送信されたユーザ登録データを蓄積するものである。ユーザ登録データは、ユーザの名前、住所、電話番号、電子メールアドレス等のユーザに関するユーザ情報と、コンテンツ受信装置３の製造番号（製品番号）等の固有情報とを含むものである。特に、このコンテンツ受信装置３の製造番号（製品番号）等の固有情報は、受信側のユーザを特定するための必須の情報である。また、このユーザ登録データがコンテンツ受信装置３から送信されてこない場合には、コンテンツ送信装置１からコンテンツを購入、すなわち、ダウンロードすることはできない。
【００４２】
コンテンツ購入者リスト蓄積手段２１は、著作権電子透かし埋込済みコンテンツを購入したユーザのユーザＩＤと、当該著作権電子透かし埋込済みコンテンツのコンテンツＩＤと、購入した日時とを関連付けたコンテンツ購入者リストを蓄積するものである。
【００４３】
ユーザ電子透かし埋込済みコンテンツ取得手段２３は、コンテンツ蓄積手段５に蓄積されているコンテンツのファイル名、コンテンツＩＤ等に基づいて、ネットワーク上で流通しているコンテンツの中から同一のファイル名、コンテンツＩＤを有するコンテンツを検索し、検索したものをユーザ電子透かし埋込済みコンテンツと仮定して取得するものである。
【００４４】
ユーザ電子透かし検出手段２５は、ユーザ電子透かし埋込済みコンテンツ取得手段２３で取得されたコンテンツ、または、市場等から購入した記録媒体等、不正流通の疑いがあるコンテンツからユーザ電子透かしを検出するものである。また、このユーザ電子透かし検出手段２５は、ネットワークに流通している不特定多数のコンテンツから既存の著作権電子透かしの検出を定期的に行っている。さらに、このユーザ電子透かし検出手段２５は、記録媒体等を介して入手された不正流通の疑いのあるコンテンツから既存の著作権電子透かしの検出を行うことができる。そして、このユーザ電子透かし検出手段２５によって検出された著作権電子透かしの中の著作権者を特定可能とする情報（著作権情報）が正当なものであった場合、検出された著作権電子透かしの中のコンテンツＩＤから、使用されたユーザ電子透かしを特定すると共に、ユーザ電子透かしの中のユーザ情報を検出する。その結果、著作権電子透かしの中のコンテンツＩＤとユーザ電子透かしの中のユーザ情報との組み合わせが、コンテンツ購入者リストおよびユーザ電子透かし埋込リストデータを参照することによって得られる組み合わせと一致することで、不正ユーザを特定することができる。
【００４５】
このコンテンツ送信装置１によれば、著作権電子透かし埋込手段９によって、コンテンツ蓄積手段５に蓄積されているコンテンツに著作権電子透かしが埋め込まれて著作権電子透かし埋込済みコンテンツとされる。ユーザ電子透かし埋込リストデータ付加手段１５によって、著作権電子透かし埋込済みコンテンツにユーザ電子透かし埋込リストデータが付加されたリストデータ付加著作権電子透かし埋込済みコンテンツとされ、これが送受信手段１７によって、ネットワークを介して、コンテンツ受信装置３に送信される。
【００４６】
このため、ユーザ電子透かし埋込リストデータを著作権電子透かし埋込済みコンテンツに付加することにより、著作権電子透かし埋込済みコンテンツをコンテンツ送信装置１から送信（配信）する際に、ユーザ電子透かしを埋め込む処理を施す必要が無くなり、当該装置１への負荷を軽減することができる。
【００４７】
また、コンテンツ送信装置１によれば、著作権電子透かしと、ユーザ電子透かし埋込リストデータに従って受信側で埋め込まれるユーザ電子透かしとの特性が互いに干渉することのない直交性を有するようにすることで、著作権電子透かしとユーザ電子透かしとを個別に検出することができる。
【００４８】
さらに、コンテンツ送信装置１によれば、受信側のコンテンツ受信装置３で、著作権電子透かし埋込済みコンテンツを視聴（再生）する際に、ユーザ電子透かし埋込リストデータに従ったユーザ電子透かし埋込モジュールがない場合であっても、受信側から送信された要求データに基づいて、ユーザ電子透かし埋込モジュールが送信されることによって、送信側で任意に指定したユーザ電子透かしを著作権電子透かし埋込済みコンテンツに埋め込ませることができる。
【００４９】
さらにまた、コンテンツ送信装置１によれば、ユーザ電子透かし埋込済みコンテンツ取得手段２３によって、受信側で、著作権電子透かし埋込済みコンテンツにユーザ電子透かしが埋め込まれたユーザ電子透かし埋込済みコンテンツをネットワークを介して取得し、ユーザ電子透かし検出手段２５によって、ユーザ電子透かし埋込済みコンテンツからユーザ電子透かしを検出する。つまり、受信側で、著作権電子透かし埋込済みコンテンツが視聴（再生）された後には、当該コンテンツに著作権電子透かしも埋め込まれたままユーザ電子透かしが埋め込まれて、ユーザ電子透かし埋込済みコンテンツとされるので、このユーザ電子透かし埋込済みコンテンツを取得して、ユーザ電子透かし検出手段２５によって、ユーザ電子透かしを検出することよって、ユーザを特定することができる。
【００５０】
（コンテンツ受信装置の構成）
コンテンツ受信装置３は、送信側のコンテンツ送信装置１から送信されたリストデータ付加著作権電子透かし埋込済みコンテンツ（著作権電子透かし埋込済みコンテンツおよびユーザ電子透かし埋込リストデータ）を受信して、当該リストデータ付加著作権電子透かし埋込済みコンテンツ（著作権電子透かし埋込済みコンテンツ）を視聴（再生）する際に、ユーザ電子透かしを埋め込むもので、送受信手段２７（請求項に記載の受信手段に相当）と、著作権電子透かし検出手段２９と、ユーザ電子透かし埋込実行手段３１と、ユーザ情報蓄積手段３３と、ユーザ電子透かし埋込モジュール蓄積手段３５と、ユーザ電子透かし埋込モジュール取得手段３７と、ユーザ電子透かし埋込済みコンテンツ蓄積手段３９と、出力手段４１と、ユーザ登録データ出力手段４３とを備えている。
【００５１】
送受信手段２７は、ネットワークに接続される外部へのインターフェースであり、コンテンツ送信装置１から送信（配信）されたリストデータ付加著作権電子透かし埋込済みコンテンツを受信すると共に、ユーザ登録データをコンテンツ送信装置１に送信するためのものである。
【００５２】
著作権電子透かし検出手段２９は、送受信手段２７で受信したリストデータ付加著作権電子透かし埋込済みコンテンツから著作権電子透かしを検出するものである。なお、この実施の形態では、著作権電子透かし検出手段２９によって、著作権電子透かしが検出されない場合には、著作権電子透かし埋込済みコンテンツがネットワーク上で改竄されたとみなして以下の処理は行われない。
【００５３】
ユーザ電子透かし埋込実行手段３１は、著作権電子透かし検出手段２９によって、著作権電子透かし埋込済みコンテンツの著作権電子透かしが検出された場合に、ユーザ電子透かし埋込リストデータに従ったユーザ電子透かし埋込モジュールをユーザ電子透かし埋込モジュール蓄積手段３５から読み出して、この読み出したユーザ電子透かし埋込モジュールを実行して、ユーザ情報をユーザ電子透かしとして、当該著作権電子透かし埋込済みコンテンツに埋め込んで、出力手段４１に送り出すものである。また、このユーザ電子透かし埋込実行手段３１では、ユーザ電子透かし埋込リストデータに従ったユーザ電子透かし埋込モジュールがユーザ電子透かし埋込モジュール蓄積手段３５に蓄積されていない場合には、ユーザ電子透かし埋込モジュール取得手段３７に制御信号を出力する。そして、この制御信号によって、ユーザ電子透かし埋込モジュール取得手段３７から要求データがネットワークを介してコンテンツ送信装置１に送信される。
【００５４】
ユーザ情報蓄積手段３３は、ハードディスクやメモリ等によって構成され、予めユーザ情報を蓄積しておくものである。ユーザ情報は、コンテンツ受信装置３の製造番号（製品番号）等の機器情報と、ユーザ、つまり、視聴者の名前、性別、年齢、住所、電話番号、電子メールアドレス、嗜好等の個人情報と、コンテンツの視聴に係る契約内容である契約情報とを含むものである。なお、このユーザ情報の一部がユーザ登録データとして、活用され、コンテンツ送信装置１に送信される。
【００５５】
ユーザ電子透かし埋込モジュール蓄積手段３５は、著作権電子透かし埋込済みコンテンツを視聴する際に、ユーザ情報蓄積手段３３に蓄積されているユーザ情報を、ユーザ電子透かしとして当該著作権電子透かし埋込済みコンテンツに埋め込ませるユーザ電子透かし埋込モジュールを蓄積しているものである。このユーザ電子透かし埋込モジュールは、ユーザ電子透かし埋込リストデータによって規定されているＩＤに対応するユーザ電子透かし埋込モジュールが呼び出されて起動（機能）し、著作権電子透かし埋込済みコンテンツにユーザ電子透かしを埋め込むものである。
【００５６】
ユーザ電子透かし埋込モジュール取得手段３７は、ユーザ電子透かし埋込リストデータによって規定（指定）されるユーザ電子透かし埋込モジュールがユーザ電子透かし埋込モジュール蓄積手段３５に蓄積されていない場合に、ユーザ電子透かし埋込実行手段３１から出力される制御信号に基づいて、ネットワークを介して、コンテンツ送信装置１に要求して（要求データを出力して）、当該ユーザ電子透かし埋込モジュールを取得するものである。
【００５７】
ユーザ電子透かし埋込済みコンテンツ蓄積手段３９は、ユーザ電子透かし埋込実行手段３１でユーザ電子透かしが埋め込まれたユーザ電子透かし埋込済みコンテンツを蓄積するものである。また、このユーザ電子透かし埋込済みコンテンツ蓄積手段３７に蓄積されたユーザ電子透かし埋込済みコンテンツは、ユーザが当該装置３の操作手段（図示せず）による所定の操作によって任意に読み出すことができる。
【００５８】
出力手段４１は、ユーザ電子透かし埋込実行手段３１でユーザ電子透かしが埋め込まれたユーザ電子透かし埋込済みコンテンツを当該装置３の外部にある表示装置２に出力するもの、つまり、出力インターフェースの役割を果たすものである。
【００５９】
ユーザ登録データ出力手段４３は、当該装置３の操作手段（図示せず）による所定の操作に従って、コンテンツ送信装置１に正規のユーザとして登録の必要なデータであるユーザ登録データを、ユーザ情報蓄積手段３３に蓄積されているユーザ情報から抽出して送受信手段２７、ネットワークを介して出力するものである。
【００６０】
このコンテンツ受信装置３によれば、ユーザ情報蓄積手段３３によって、予めユーザに関するユーザ情報を蓄積しており、送受信手段２７によって、著作権電子透かし埋込済みコンテンツおよびユーザ電子透かし埋込リストデータを受信し、ユーザ電子透かし埋込実行手段３１によって、著作権電子透かし埋込済みコンテンツを視聴する際に、ユーザ情報蓄積手段３３に蓄積されているユーザ情報をユーザ電子透かしとして、著作権電子透かし埋込済みコンテンツに埋め込んでユーザ電子透かし埋込済みコンテンツとし、出力手段４１から外部の表示装置２に出力する。
【００６１】
このため、著作権電子透かし埋込済みコンテンツを送信（配信）するコンテンツ送信装置１に負荷をかけることなく、ユーザ電子透かしを著作権電子透かし埋込済みコンテンツに埋め込むことができる。そして、このユーザ電子透かしを検出することによって、当該著作権電子透かし埋込済みコンテンツを購入したユーザを特定することができる。
【００６２】
また、このコンテンツ受信装置３によれば、ユーザ電子透かし埋込実行手段３１によって、著作権電子透かし埋込済みコンテンツにユーザ電子透かしを埋め込む際に、ユーザ電子透かし埋込リストデータに従ったユーザ電子透かし埋込モジュールがユーザ電子透かし埋込モジュール蓄積手段３５に蓄積されていない場合には、ユーザ電子透かし埋込モジュール取得手段３７から要求データを、ネットワークを介して、コンテンツ送信装置１に送信し、当該ユーザ電子透かし埋込モジュールを取得するので、これによって、ユーザ電子透かし埋込リストデータに従ったユーザ電子透かし埋込モジュールを予め備えていない場合であっても、フレキシブルに対応することができる。
【００６３】
さらに、コンテンツ受信装置３によれば、著作権電子透かし検出手段２９によって、著作権電子透かし埋込済みコンテンツに埋め込まれている著作権電子透かしを検出することができ、正当な提供者（著作権者、コンテンツプロバイダ）から送信（配信）されたものであることを検証することができる。
【００６４】
（コンテンツ送受信システムの全体動作）
次に、図２に示すシーケンスチャートを参照して、コンテンツ送受信システムＡの全体動作について説明する。
【００６５】
はじめに、コンテンツ受信装置３のユーザは、図示を省略した操作手段を使用して、ユーザ登録データ出力手段４３を操作して、ユーザ登録データを送受信手段２７、ネットワークを介して、コンテンツ送信装置１に出力する（Ｂ１）。すると、コンテンツ送信装置１の送受信手段１７でユーザ登録データを受信し（Ａ１）、このユーザ登録データの中で、不足しているデータがあるかどうかを確認する（Ａ２）。不足がないと確認された場合には、ユーザ登録データ蓄積手段１９に登録（蓄積）され、ユーザＩＤが設定されて、このユーザＩＤがコンテンツ受信装置３に出力（送信）される（Ａ３）。
【００６６】
例えば、ユーザの名前や電子メールアドレスがユーザ登録データに含まれていない場合、ユーザ登録不可とされ、ユーザ登録データ蓄積手段１９に登録（蓄積）されない。この場合、コンテンツ受信装置３に、ユーザ登録不可が通知されると共に、ユーザに再入力するように促す指示（指示データ）が出力される。
【００６７】
コンテンツ受信装置３では、コンテンツ送信装置１から出力されたユーザＩＤをユーザ情報蓄積手段３３に登録（蓄積）する（Ｂ２）。そして、コンテンツ受信装置３のユーザが何らかのコンテンツを購入（視聴）したくなった際に、まず、図示を省略した操作手段を使用して、複数のコンテンツのファイル名、所要時間等を記載したコンテンツ一覧表データをコンテンツ送信装置１に要求（要求データを出力）する（Ｂ３）。すると、コンテンツ送信装置１は、この要求データを送受信手段１７で受信し、コンテンツ蓄積手段５に蓄積されているコンテンツ一覧表データを読み出して、コンテンツ受信装置３に出力（返信）する（Ａ４）。
【００６８】
コンテンツ受信装置３は、このコンテンツ一覧表データを受信し、表示装置２に出力する。そして、コンテンツ受信装置３のユーザは、表示装置２に表示されているコンテンツ一覧表データの中から、希望コンテンツを選択し、このコンテンツ受信装置３は、当該希望コンテンツのコンテンツ名またはコンテンツＩＤと、ユーザＩＤと、当該装置３の製造番号（製品番号）とをコンテンツ送信装置１に出力する（Ｂ５）。
【００６９】
すると、コンテンツ送信装置１では、コンテンツ受信装置３から送信された希望コンテンツのコンテンツ名またはコンテンツＩＤと、ユーザＩＤと、当該装置３の製造番号（製品番号）とを受信し、コンテンツ購入者リスト蓄積手段２１に書き込む（蓄積する）（Ａ５）。
【００７０】
それから、コンテンツ送信装置１は、著作権電子透かし埋込済みコンテンツとユーザ電子透かし埋込リストデータとをコンテンツ受信装置３に出力し（Ａ６）、コンテンツ受信装置３では、著作権電子透かし埋込済みコンテンツとユーザ電子透かし埋込リストデータとを受信する（Ｂ５）。
【００７１】
（コンテンツ受信装置の動作）
次に、図３に示すフローチャートを参照して、コンテンツ送信装置１の動作を説明する（適宜、図１参照）。
コンテンツ送信装置１では、まず、著作権電子透かし埋込手段９によって、コンテンツ蓄積手段５に蓄積されているコンテンツを読み出すと共に、著作権電子透かし蓄積手段７に蓄積されている著作権電子透かしモジュールを読み出す。そして、コンテンツ蓄積手段５から読み出したコンテンツに、著作権電子透かし蓄積手段７から読み出した著作権電子透かしモジュールにより著作権電子透かしを埋め込む（Ｓ１）。なお、この著作権電子透かし埋込手段９では、コンテンツに著作権電子透かしを埋め込む際に、どのコンテンツにどの著作権電子透かしを埋め込んだのかを確認できるように対応関係が記録される。
【００７２】
続いて、ユーザ電子透かし埋込リストデータ付加手段１５によって、ユーザ電子透かし埋込リストデータ蓄積手段１１からユーザ電子透かし埋込リストデータを読み出すと共に、この読み出したユーザ電子透かし埋込リストデータを、著作権電子透かし埋込手段９から出力された著作権電子透かし埋込済みコンテンツに付加（多重化）する（Ｓ２）。なお、このユーザ電子透かし埋込リストデータ付加手段１５では、著作権電子透かし埋込済みコンテンツにユーザ電子透かし埋込リストデータを付加する際に、どの著作権電子透かし埋込済みコンテンツにどのユーザ電子透かし埋込リストデータを付加したのかを確認できるように対応関係が記録される。
【００７３】
そして、ユーザ電子透かし埋込リストデータ付加手段１５でユーザ電子透かし埋込リストデータが付加された著作権電子透かし埋込済みコンテンツ、つまり、リストデータ付加著作権電子透かし埋込済みコンテンツを送受信手段１７から送信（配信）する（Ｓ３）。
【００７４】
このコンテンツ送信装置１の一連の動作によって、ネットワークを介して、著作権電子透かし埋込済みコンテンツを送信する際に、ユーザ電子透かしを埋め込むことなく、送信後、受信側で著作権電子透かし埋込済みコンテンツを視聴する際に、、該当するユーザ電子透かし埋込モジュールを特定可能とするユーザ電子透かし埋込リストデータを付加しているので、当該装置１の処理負荷を軽減することができる。
【００７５】
（コンテンツ受信装置の動作）
次に、図４に示すフローチャートを参照して、コンテンツ受信装置３の動作を説明する。
【００７６】
コンテンツ受信装置３では、まず、コンテンツ送信装置１から送信（配信）されたリストデータ付加著作権電子透かし埋込済みコンテンツを送受信手段２７によって受信する（Ｓ１１）。続いて、著作権電子透かし検出手段２９によって、リストデータ付加著作権電子透かし埋込済みコンテンツ（著作権電子透かし埋込済みコンテンツ）から著作権電子透かしを検出する（Ｓ１２）。なお、この著作権電子透かし検出手段２９で著作権電子透かしが検出されなかった場合には、これ以降の処理は中断される。
【００７７】
そして、著作権電子透かし埋込済みコンテンツを視聴（再現）する際に、ユーザ電子透かし埋込実行手段３１によって、ユーザ電子透かし埋込リストデータに従ったユーザ電子透かし埋込モジュールがユーザ電子透かし埋込モジュール蓄積手段３５から読み出されて実行され、ユーザ情報蓄積手段３３に蓄積されているユーザ情報をユーザ電子透かしとして、著作権電子透かし埋込済みコンテンツに埋め込む。なお、ユーザ電子透かし埋込実行手段３１では、ユーザ電子透かしが、著作権電子透かし埋込済みコンテンツに埋め込まれている著作権電子透かしと直交性を保つように埋め込まれる。
【００７８】
その後、ユーザ電子透かし埋込済みコンテンツは、ユーザ電子透かし埋込済みコンテンツ蓄積手段３９に蓄積されるか、出力手段４１によって、外部の表示装置２に出力される。
【００７９】
このコンテンツ送信装置３の一連の動作によって、ネットワークを介して、著作権電子透かし埋込済みコンテンツを購入する際に、ユーザ電子透かしが埋め込まれないので、ダウンロードに要する時間を短縮することができる。受信後、著作権電子透かし埋込済みコンテンツを視聴する際に、ユーザ電子透かしが埋め込まれることによって、このユーザ電子透かしを検出すれば、著作権電子透かし埋込済みコンテンツを購入したユーザを特定することができる。
【００８０】
（各種データのデータ構造の例について）
次に、図５を参照して、各種のデータ（コンテンツデータ、ユーザ登録データ、コンテンツ購入リスト）のデータ構造について説明する。
図５（ａ）にコンテンツデータの概略のデータ構造を、図５（ｂ）にユーザ登録データの概略のデータ構造を、図５（ｃ）にコンテンツ購入者リストの概略のデータ構造を示す。
【００８１】
図５（ａ）に示すように、コンテンツデータ（著作権電子透かし蓄積手段７に蓄積されている）は、コンテンツを識別するためのコンテンツＩＤ、コンテンツの著作権を示す情報を含むものである。この図５（ａ）では、コンテンツＩＤとして“ＡＢＣ１２３”、著作権を示す情報として放送局名“○○放送局”を例示している。
【００８２】
図５（ｂ）に示すように、ユーザ登録データは、ユーザの名前、Ｅ−Ｍａｉｌ（ユーザの電子メールアドレス）、Ｔｅｌ（ユーザの電話番号）、ユーザＩＤ、再生装置の製品番号（コンテンツ受信装置３の製造番号［製品番号］）を少なくとも含むものである。この図５（ｂ）では、ユーザの名前として“山田太郎”、Ｅ−Ｍａｉｌとして“ｔｔｔ＠ｃｏ．ｊｐ”、ユーザＩＤとして“ａａａ１２３”、再生装置の製品番号として“００２１５９”を例示している。
【００８３】
図５（ｃ）に示すように、コンテンツ購入者リストは、ユーザＩＤ、購入日、コンテンツＩＤを含むものである。この図５（ｃ）では、ユーザＩＤとして“ａａａ１２３”、購入日として“０２年９月２０日”、コンテンツＩＤとして“ＡＢＣ１２３”を例示している。
【００８４】
（著作権電子透かしとユーザ電子透かしとの直交性について）
次に、図６を参照して、著作権電子透かしとユーザ電子透かしとの直交性について説明する。
図６（Ａ−１）〜（Ａ−３）および（Ｂ−１）〜（Ｂ−３）は、著作権電子透かしの埋込方とユーザ電子透かしの埋込方の差異を模式的に図示したものである。ここでは、著作権電子透かしをＡとし、ユーザ電子透かしをＢとして説明する。当然のことながら、著作権電子透かしをＢとし、ユーザ電子透かしをＡとしても差し支えはない。
【００８５】
図６（Ａ−１）では、著作権電子透かしＡを映像（コンテンツの各フレーム）の左半分に埋め込み、図６（Ｂ−１）では、ユーザ電子透かしＢを映像の右半分に埋め込んでいることを示している。図６（Ａ−２）では、著作権電子透かしＡ（破線）をコンテンツの低周波領域（低周波数成分）に埋め込み、図６（Ｂ−２）では、ユーザ電子透かしＢを高周波領域（高周波数成分）に埋め込んでいることを示している。図６（Ａ−３）では、著作権電子透かしＡを映像（コンテンツの各フレーム）を構成するＲ信号またはＹ信号（輝度信号）に埋め込み、図６（Ｂ−３）では、ユーザ電子透かしＢを映像を構成するＧ信号またはＣｂ信号（色差信号）に埋め込んでいることを示している。
【００８６】
この図６に示したように、著作権電子透かしとユーザ電子透かしとの特性が直交性を保つように埋め込むことによって、著作権電子透かしとユーザ電子透かしとを独立して検出することができる。
【００８７】
以上、本発明の実施形態について説明したが、本発明は前記実施形態には限定されない。例えば、本実施形態では、コンテンツ送信装置１、コンテンツ受信装置３として説明したが、これらの装置を構成する各手段における処理を汎用的なコンピュータ言語で記述したコンテンツ送信プログラム、コンテンツ受信プログラムとみなすことも可能であり、各手段の処理を一つずつの過程ととらえたコンテンツ送信方法、コンテンツ受信方法とみなすことも可能である。これらの場合、コンテンツ送信装置１、コンテンツ受信装置３と同様の効果を得ることができる。
【図面の簡単な説明】
【００８８】
【図１】実施形態に係る一実施の形態であるコンテンツ送受信システムのブロック図である。
【図２】図１に示したコンテンツ送受信システムの全体動作について説明したシーケンスチャートである。
【図３】図１に示したコンテンツ送受信システムの中のコンテンツ送信装置の動作を説明したフローチャートである。
【図４】図１に示したコンテンツ送受信システムの中のコンテンツ受信装置の動作を説明したフローチャートである。
【図５】（ａ）はコンテンツデータの概略のデータ構造を示す図であり、（ｂ）はユーザ登録データの概略のデータ構造を示す図であり、（ｃ）はコンテンツ購入者リストの概略のデータ構造を示す図である。
【図６】（Ａ−１）〜（Ａ−３）および（Ｂ−１）〜（Ｂ−３）は、著作権電子透かしの埋込方とユーザ電子透かしの埋込方の差異を模式的に示した図である。
【符号の説明】
【００８９】
１          コンテンツ送信装置
３          コンテンツ受信装置
５          コンテンツ蓄積手段
７          著作権電子透かし蓄積手段
９          著作権電子透かし埋込手段
１１        ユーザ電子透かし埋込リストデータ蓄積手段
１３        ユーザ電子透かし埋込モジュール蓄積手段
１５        ユーザ電子透かし埋込リストデータ付加手段
１７、２７  送受信手段
１９        ユーザ登録データ蓄積手段
２１        コンテンツ購入者リスト蓄積手段
２３        ユーザ電子透かし埋込済みコンテンツ取得手段
２５        ユーザ電子透かし検出手段
２９        著作権電子透かし検出手段
３１        ユーザ電子透かし埋込実行手段
３３        ユーザ情報蓄積手段
３５        ユーザ電子透かし埋込モジュール蓄積手段
３７        ユーザ電子透かし埋込モジュール取得手段
３９        ユーザ電子透かし埋込済みコンテンツ蓄積手段
４１        出力手段
４３        ユーザ登録データ出力手段
【図１】
2005072755.tif 000003
【図２】
2005072755.tif 000004
【図３】
2005072755.tif 000005
【図４】
2005072755.tif 000006
【図５】
2005072755.tif 000007
【図６】
2005072755.tif 000008